(57)【要約】【課題】露光装置内に搬入されたレチクルとペリクルに囲まれた空間であるペリクル空間のパージ時間を短くでき、レチクルの搬入時間が短縮され生産性が向上する露光装置を提供する。【解決手段】  ペリクル枠２５に各１つ以上設けられた供給口ａと排出口ｂにそれぞれ不活性ガスを供給および排出するための供給ノズル３３および排出ノズル３４を近接あるいは密接させて、これらの供給口と排出口を介してペリクル空間２０のパージを行うとともに、ペリクル膜の外側からペリクル空間と略同一の圧力を加える。【選択図】      図３
2006060037.tif 000002
【特許請求の範囲】
【請求項１】
ペリクル膜と、１つ以上の供給口と１つ以上の排出口とを備えるペリクル枠とからなるペリクルを有する原版のパターンを感光基板に転写する露光装置であって、
前記供給口に対向して不活性ガスを供給するための供給ノズルと、
該供給ノズルを該供給口に近接あるいは密接させるノズル近接機構と、
前記排出口に対向してガスを排出するための排出ノズルと、
該排出ノズルを該排出口に近接あるいは密接させるノズル近接機構と、
前記原版の少なくともペリクル膜の外側を囲う包囲手段と、
該包囲手段内に不活性ガスを供給する手段と、
該包囲手段内からガスを排出する手段と、
前記供給ノズルに供給する不活性ガスの圧力および前記排出ノズルから排出するガスの圧力ならびに前記包囲手段内に供給する不活性ガスの圧力および前記包囲手段内から排出するガスの圧力の少なくとも一方を制御する圧力制御手段と、
を有することを特徴とする露光装置。
【請求項２】
前記包囲手段が、１つ以上の開閉扉を有するロードロック室であることを特徴とする請求項１に記載の露光装置。
【請求項３】
前記包囲手段が、前記ペリクル膜上に密閉空間を形成するペリクル加圧室であることを特徴とする請求項１に記載の露光装置。
【請求項４】
前記圧力制御手段は、前記ペリクル膜の内側と外側の圧力差を同一または略同一とすべく前記各ガス圧を制御することを特徴とする請求項１〜３のいずれか１つに記載の露光装置。
【請求項５】
前記圧力制御手段は、前記ペリクル膜の外側の圧力と前記供給ノズル内および前記排出ノズル内の圧力または圧力差を検出する手段を備え、前記ペリクル膜の外側の圧力と前記供給ノズル内および前記排出ノズル内それぞれとの圧力差の絶対値が同一または略同一となるように前記各ガス圧を制御することを特徴とする請求項４に記載の露光装置。
【請求項６】
前記圧力制御手段は、前記ペリクル膜の変形を検出する手段を備え、該ペリクル膜の変形が最小となるように前記各ガス圧を制御することを特徴とする請求項１〜４のいずれか１つに記載の露光装置。
【請求項７】
前記ペリクル枠の供給口の流路抵抗の総量と前記包囲手段の供給口の流路抵抗の総量が同一または略同一であり、前記ペリクル枠の排出口の流路抵抗の総量と前記包囲手段の排出口の流路抵抗の総量が同一または略同一であることを特徴とする請求項１〜６のいずれか１つに記載の露光装置。
【請求項８】
前記ペリクル枠の供給口の流路抵抗の総量と前記包囲手段の供給口の流路抵抗の総量が同一または略同一であり、前記ペリクル枠の排出口の流路抵抗の総量と前記包囲手段の排出口の流路抵抗の総量が同一または略同一であり、前記ペリクル枠の供給口と前記包囲手段の供給口とが共通の供給経路に、前記ペリクル枠の排出口と前記包囲手段の排出口とが共通の排出経路にそれぞれ接続されていることを特徴とする請求項３に記載の露光装置。
【請求項９】
前記ペリクル加圧室の容積と前記ペリクル枠、ペリクル膜および原版で囲まれた空間の容積とが同一または略同一であることを特徴とする請求項８に記載の露光装置。
【請求項１０】
請求項１〜９のいずれか１つに記載の露光装置を用いて基板を露光する工程と、露光された基板を現像する工程とを備えることを特徴とするデバイス製造方法。
【発明の詳細な説明】
【技術分野】
【０００１】
本発明は、マスクやレチクル等の原版のパターンを半導体ウエハ等の感光基板に転写する露光装置に関し、特に防塵用のペリクルを有する原版を用いる露光装置に関する。
【背景技術】
【０００２】
従来、極微細パターンから形成されるＬＳＩあるいは超ＬＳＩ等の半導体素子の製造工程において、マスクやレチクル等の原版に描かれた回路パターンを感光剤が塗布されたウエハ等の基板上に縮小投影して焼き付け形成する縮小型投影露光装置が使用されている。半導体素子の実装密度の向上に伴い、パターンのより一層の微細化が要求され、レジストプロセスの発展と同時に露光装置の微細化への対応がなされてきた。
【０００３】
露光装置の解像力を向上させる手段としては、露光波長をより短波長に変えていく方法と、投影光学系の開口数（ＮＡ）を大きくしていく方法とがある。
【０００４】
露光波長については、３６５［ｎｍ］のｉ線から最近では２４８［ｎｍ］付近の発振波長を有するＫｒＦエキシマレーザ、１９３［ｎｍ］付近の発振波長を有するＡｒＦエキシマレーザの開発が行なわれている。さらに、１５７［ｎｍ］付近の発振波長を有するフッ素（Ｆ２）エキシマレーザの開発が行なわれている。
【０００５】
遠紫外線、とりわけ１５７［ｎｍ］付近の発振波長を有するフッ素（Ｆ２）エキシマレーザにおいては、その発信波長付近の帯域に酸素（Ｏ２）の吸収帯が複数存在することが知られている。フッ素エキシマレーザは、波長が１５７［ｎｍ］と短いため露光装置への応用が進められているが、１５７［ｎｍ］という波長は一般に真空紫外と呼ばれる波長領域にある。しかし、この波長領域の光を露光装置に適用する場合、酸素による光の吸収が大きいため、大気はほとんど光を透過せず、酸素濃度を充分下げた環境にする必要がある。
【０００６】
非特許文献１（「Ｐｈｏｔｏｃｈｅｍｉｓｔｒｙ  ｏｆ  Ｓｍａｌｌ  Ｍｏｌｅｃｕｌｅｓ  」（Ｈｉｄｅｏ  Ｏｋａｂｅ  著、Ａ  Ｗｉｌｅｙ−Ｉｎｔｅｒｓｃｉｅｎｃｅ  Ｐｕｂｌｉｃａｔｉｏｎ、１９７８年、１７８  頁）によると、波長１５７［ｎｍ］の光に対する酸素の吸収係数は、約１９０［ａｔｍ−１ｃｍ−１］である。これは、１気圧中で１［％］の酸素濃度の気体中を波長１５７［ｎｍ］の光が通過すると、１［ｃｍ］あたりの透過率が下記の数式で求められる０．１５０の値しかないことを示している。
Ｔ＝ｅｘｐ（−１９０×１［ｃｍ］×０．０１［ａｔｍ］）＝０．１５０
【０００７】
また、酸素が上記した光を吸収することにより、オゾン（Ｏ３）が生成され、このオゾンが光の吸収をより増加させ、透過率を著しく低下させることに加え、オゾンに起因する各種生成物が光学素子表面に付着し、光学系の効率を低下させる。また、上記した光は、酸素だけでなく水分に対しても光の吸収が大きいため、透過率を著しく低下させる。
【０００８】
したがって、遠紫外線、とりわけ１５７［ｎｍ］付近の波長を有するフッ素（Ｆ２）エキシマレーザ光を光源とする投影露光装置の露光光の光路においては、露光光の透過率および透過率の均一性を確保するために、窒素やヘリウム等の不活性ガスによるパージ手段によって、光路中に存在する酸素濃度および水分濃度を数ｐｐｍオーダ以下の低レベルにおさえる方法がとられている。
【０００９】
上記した従来例のパージ手段の場合、照明光学系および投影光学系は、密閉容器にできるので、内部のパージを比較的容易に行えるが、特にレチクルやウエハ近傍の光路におけるパージの方法は、レチクルおよびウエハが露光装置の可動体であるがゆえに問題であり、さらに最近の主流であるステップ・アンド・スキャン型の投影露光装置では、露光中にレチクル、ウエハ共にスキャン動作を行っているので、なおさら問題となる。そのため、レチクルステージおよびウエハステージ全体を筐体で囲い、その中をＮ２などの不活性ガスでパージし、露光装置内部と外部を連絡する部分には、ロードロック機構を設け、外部からレチクルやウエハを搬入する場合には、ロードロック機構で一旦外気と遮断し、ロードロック機構内の不純物を不活性ガスでパージした後、露光装置内部に搬入していた。
【００１０】
例えば図１０は、フッ素（Ｆ２）エキシマレーザを光源とし、ロードロック機構を有する半導体露光装置の一例を示す断面模式図である。図１０において、１はパターンの描画されたレチクルを搭載するレチクルステージ、２はレチクル上のパターンをウエハに投影する投影光学系、３はウエハを搭載しＸ、Ｙ、Ｚ、θおよびチルト方向に駆動するウエハステージ、４は照明光をレチクル上に照射するための照明光学系、５は光源からの光を照明光学系４に導光する引き回し光学系、６は光源であるフッ素（Ｆ２）エキシマレーザ部、７はレチクル上のパターン領域以外が照明されないように露光光を遮光するマスキングブレード、８および９は各々レチクルステージ１およびウエハステージ３周囲の露光光軸を覆う筐体、１０は投影光学系２および照明光学系４の内部を所定のＨｅ雰囲気に調節するＨｅ空調機、１１および１２は筐体８および９の各々の内部を所定のＮ２雰囲気に調節するＮ２空調機、１３および１４はレチクルおよびウエハを各々筐体８および９内に搬入する時に使用するレチクルロードロックおよびウエハロードロック、１５および１６は各々レチクルおよびウエハを搬送するためのレチクルハンドおよびウエハハンド、１７はレチクルの位置調節に用いるレチクルアライメントマーク、１８は複数のレチクルを筐体８内で保管するレチクル保管庫、１９はウエハのプリアライメントを行うプリアライメント部である。また必要に応じて装置全体を不図示の環境チャンバに収納し、所定の温度に制御された空気を環境チャンバ内で循環させることによりチャンバ内の温度を一定に管理している。
【００１１】
また一般的に、レチクルにはペリクルと称されるパターン保護装置が付けられている。これはレチクルのパターン面に塵埃などの異物が付着するのを防止するもので、これによりウエハ上への異物転写による不良の発生頻度が抑制される。ペリクルの表面とレチクルのブランク面（パターン面の逆面）に異物が付くのは防げないが、これらの面はパターン面から数ｍｍ程度離れているために、ウエハ上には結像せずに照度ムラとなるので、許容される異物のサイズは非常に大きくなり、不良の発生頻度が抑制される。一般に、ペリクル貼り付け装置により清浄な環境下でレチクルとペリクルは貼り合わされ、それ以降の露光装置までの経路と露光装置内において、パターン面に異物が付着するのを防止する。なお、ペリクル膜の種類としては、例えばニトロセルロース等を主成分とする厚さ１〜２μｍ程度の薄膜である、いわゆるソフトペリクルと呼ばれているものと、例えばフッ素ドープ石英等からなる厚さ１００〜８００μｍ程度の硝材である、いわゆるハードペリクルと呼ばれているものがある。
【００１２】
図１１はこのペリクルの構造を示す模式図である。ペリクル２４はレチクル２３のパターン面側に粘着剤等を使用して貼り付けられる。ペリクル２４は、このレチクルパターンを囲う大きさのペリクル枠２５と、その一端面に貼られた露光光を透過するペリクル膜２６で構成されている。このペリクル２４とレチクル２３で囲まれた空間であるペリクル空間を完全に密閉させると、ペリクル空間内外の気圧差や酸素濃度差によりペリクルが膨らんだり変形したりする不具合が発生するため、ペリクル枠２５には通気孔２７が設けられており、ペリクル空間内外で気体が流通できるようになっている。また、この通気孔２７からペリクル空間内に外部の異物が侵入するのを防ぐために不図示の除塵フィルタが、この通気経路に設けられている。
【００１３】
図１２は、図１０に示した露光装置におけるレチクル２３の搬送経路の一例を示す模式図である。図１２において、９０はレチクル２３表面やペリクル２４表面に付着している塵埃等の異物の大きさや個数を計測する異物検査装置である。ペリクル２４付きのレチクル２３は手動または不図示の搬送装置によって露光装置の入口となるレチクルロードロック１３に搬入される。次にレチクルロードロック室内を不活性ガスでパージし、筐体８と同等の不活性ガス雰囲気となった後にレチクルハンド１５によりレチクルステージ１あるいはレチクル保管庫１８や異物検査装置９０のいずれかにレチクル２３は搬送される。
【００１４】
このとき、レチクルにペリクルが貼られていると、ペリクル空間内も酸素や水分を十分に排除しなければ、露光時に露光光を吸収してしまい問題となる。しかし、ペリクル空間は比較的小さな通気孔２７（図１１）を介してのみ外気と流通が可能な構造であるので、ペリクル空間内の置換を完了させるためには、ロードロック室内が所定の不活性ガス濃度に達した後にさらに長い時間を要してしまい、生産性を非常に悪化させてしまう。
【００１５】
そこでこの問題を解決するために、例えば、特許文献１（特開２００１−２３０２０２号公報）記載の発明が提案されている。この提案の第４実施形態では、ペリクル枠の２辺にそれぞれ通気口を設けておき、これら通気口のそれぞれにはペリクル枠の内側からバネで付勢して通気口をふさぐ開閉蓋が設けられ、給気管および排気管の最先端部を通気口に挿入して開閉蓋をペリクル空間内側に押し開き、給気管および排気管の最先端部をペリクル空間内に入れてそこから不活性ガスを供給して排出することにより、効率よくペリクル空間内のパージを行って、短い時間で置換が完了できるようになっている。
【００１６】
しかしながら、この提案では、給気管および排気管の最先端部をペリクル空間内部にある開閉蓋に押し付ける、すなわち接触し摺動させるので、ペリクル空間内で異物が発生してしまい、供給される不活性ガスの流れによりペリクルパターン面に異物が流され付着する問題がある。さらに、給気管および排気管の最先端部を通気口に挿入して開閉蓋を開く時、および抜いて閉める時に、ペリクル空間外部と内部が連通してしまうので、外部から内部に異物が侵入してペリクルパターンに付着する可能性がある。
【００１７】
これに対し、特許文献２（特開２００２−１５８１５３号公報）では、これらの問題を解決しながら、効率的にペリクル空間のパージを行う方法が提案されている。これは、ペリクル枠の２辺にそれぞれ通気口を複数設けておき、ロードロック室内に設けられた可動する供給ノズルと排出ノズルをペリクル枠の側面の通気口を囲って当接させ、ペリクル空間内に不活性ガスを供給し排出するものである。この提案によれば、通気口には除塵フィルタをつけることが可能なので、ノズルをペリクル枠に当接する際に異物が発生しても除塵フィルタで除去されるため、前記特許文献１による提案の問題は発生しない。
【００１８】
ところで、前記の特許文献１および特許文献２による提案では、ペリクル空間内に直接、不活性ガスを供給し排出する方法をとっているので、ペリクル空間内の圧力変動によるペリクルの変形や破損を防ぐことは重要な問題である。そのため両提案とも、ペリクル面の変位量を測定する変位計測装置が設けられており、その変位量に基づいてペリクルの変形が所定範囲になるように、不活性ガスの供給量あるいは排出量を制御している。すなわち、ペリクル空間内の圧力が、外側の圧力とほぼ等しくなるように制御していることになる。この状態で効率よくペリクル空間内のパージを行うには、ペリクル空間の外側の圧力を中心として供給側の正圧と排気側の負圧を振り分けにすることであることが、特許文献２に開示されている。そして、この供給側圧力と排気側圧力の差を最大にすることが、パージ効率を最大にしてパージ時間を短縮できることになるのは容易にわかる。このペリクル空間の外側の圧力については、前記の特許文献１では０．１Ｐａから大気圧より僅かに高い圧力であると開示されており、前記の特許文献２では詳細な記述はないが、一般的にはほぼ大気圧であると考えられる。もしこのようにペリクル空間の外側の圧力がほぼ１気圧であるとすると、排気側の負圧は０．５気圧から０気圧が限界であるので、供給側の正圧は１．５気圧から２気圧が限界となってしまう。すなわち、ペリクル空間の外側の圧力がほぼ１気圧であると、ペリクルの変形や破損を防ぐためには、供給側圧力および排気側圧力とペリクル空間内との差圧は０．５気圧から１気圧が限界であるため、除塵フィルタの流路抵抗が大きいこともあり、不活性ガスの流量をそれ程大きくできず、置換時間が長くかかるという問題があった。
【００１９】
これに対し、この問題を解決しようとするべく、特許文献３（特開２００１−２６７２００号公報）記載の発明が提案されている。これは、ペリクル枠の２辺にそれぞれ通気口を複数設けておき、ロードロック室内に設けられた第３室の端面であるペリクル枠と同形状のペリクル枠当接部にペリクル枠を駆動して当接させると、１辺にある通気口が第１室に連通し、もう１辺にある通気口が第２室に連通し、ペリクル面が第３室に面し、レチクルが第４室に面するようになっている。さらに、第３室には、ペリクル面の中央付近の変位を測定するための変位計測装置が設けられている。この状態で、第１室を不活性ガスで加圧して、第２室を減圧することにより、ペリクル空間に通気口を通して不活性ガスを強制的に流入、流出させるようにしつつ、ペリクル面がペリクル空間の内圧上昇によってたわんで破損しないようにするために、ペリクル面の変位が変化しないよう第３室の圧力を制御している。
【００２０】
しかしながら、この提案では、第１室と第２室は直接連通せずに分離され、第１室からペリクル空間、ペリクル空間から第２室へとフィルタがついた通気口を通って不活性ガスが流れることが前提となっている。すなわち、第１室と第２室を仕切る隔壁部とペリクル枠の側面との間に隙間があると、第１室と第２室が連通してしまい、ペリクル空間への不活性ガスの流入は著しく低下して、目的とする効率的なペリクル空間のパージは困難になる。したがって、第１室と第２室を仕切る隔壁部とペリクル枠の側面との間の隙間をいかになくすかが非常に重要な点であるが、この提案ではその点についての開示がなされていない。実際、現状のペリクル枠の外形公差は±０．５ｍｍ程度あるため、そのまま隙間にすることは許容できない。そこで、例えば、ゴムなどの弾性体で隙間を吸収することが考えられるが、接触し摺動することにより、大きな異物が発生しペリクル表面などに付着する問題がある。また、可動体で隙間を閉鎖することも考えられるが、機構が複雑になり、駆動時間も増えて生産性を悪化させる問題がある。また、ペリクル枠の外形公差を厳しくして隙間をほとんど無くすことも考えられるが、ペリクルのコストが上昇するし、嵌合させてセットすることになるので複雑な機構が必要になるという問題がある。このように、この提案では、第１室、第２室、第３室を立体的なペリクル枠を使って分割してシールする必要があるために、これらの問題が発生してしまう。
【非特許文献１】「Ｐｈｏｔｏｃｈｅｍｉｓｔｒｙ  ｏｆ  Ｓｍａｌｌ  Ｍｏｌｅｃｕｌｅｓ  」（Ｈｉｄｅｏ  Ｏｋａｂｅ  著、Ａ  Ｗｉｌｅｙ−Ｉｎｔｅｒｓｃｉｅｎｃｅ  Ｐｕｂｌｉｃａｔｉｏｎ、１９７８年、１７８  頁）
【特許文献１】特開２００１−２３０２０２号公報
【特許文献２】特開２００２−１５８１５３号公報
【特許文献３】特開２００１−２６７２００号公報
【発明の開示】
【発明が解決しようとする課題】
【００２１】
本発明は、上述の問題点に鑑みてなされたものであり、ペリクルを有する原版のパターンを感光基板に転写する露光装置において、露光装置内での原版とペリクル膜の隙間における露光光の透過率および透過率の均一性を確保でき、高精度な焼き付けを行うことが可能な露光装置を提供することを課題とする。
【課題を解決するための手段】
【００２２】
上記の課題を解決するために、本発明の露光装置は、
ペリクル膜と、１つ以上の供給口と１つ以上の排出口とを備えるペリクル枠とからなるペリクルを有する原版のパターンを感光基板に転写する露光装置であって、
前記供給口に対向して不活性ガスを供給するための供給ノズルと、
該供給ノズルを該供給口に近接あるいは密接させるノズル近接機構と、
前記排出口に対向してガスを排出するための排出ノズルと、
該排出ノズルを該排出口に近接あるいは密接させるノズル近接機構と、
前記原版の少なくともペリクル膜の外側を囲う包囲手段と、
該包囲手段内に不活性ガスを供給する手段と、
該包囲手段内からガスを排出する手段と、
前記供給ノズルに供給する不活性ガスの圧力および前記排出ノズルから排出するガスの圧力ならびに前記包囲手段内に供給する不活性ガスの圧力および前記包囲手段内から排出するガスの圧力の少なくとも一方を制御する圧力制御手段と、
を有することを特徴とする。
【００２３】
ここで、前記包囲手段は、例えば１つ以上の開閉扉を有するロードロック室、またペリクル膜の外側に密閉空間を形成するペリクル加圧室である。また、前記圧力制御手段は、前記ペリクル膜の内側と外側の圧力差を同一または略同一とすべく前記各ガス圧を制御することが好ましい。このガス圧制御は、ペリクル膜の外側の圧力と前記供給ノズル内および前記排出ノズル内の圧力または圧力差を検出する手段を備え、前記ペリクル膜の外側の圧力と前記供給ノズル内および前記排出ノズル内それぞれとの圧力差の絶対値が同一または略同一となるように制御してもよいが、前記ペリクル膜の変形を検出して、その変形が最小となるように前記各ガス圧を制御するようにしてもよい。
【００２４】
前記ペリクル枠の供給口の流路抵抗の総量と前記包囲手段の供給口の流路抵抗の総量を同一または略同一とし、前記ペリクル枠の排出口の流路抵抗の総量と前記包囲手段の排出口の流路抵抗の総量も同一または略同一とすることが好ましい。この場合、前記ペリクル枠の供給口と前記包囲手段の供給口とが共通の供給経路に接続し、前記ペリクル枠の排出口と前記包囲手段の排出口とが共通の排出経路に接続することにより、圧力センサや変形センサを不要とし、かつガスの供給系および排気系が一系統で済む、というメリットがある。前記ペリクル加圧室の容積と前記ペリクル枠、ペリクル膜および原版で囲まれた空間の容積とを同一または略同一とすると、さらに好結果を期待することができる。
【発明の効果】
【００２５】
本発明によれば、ペリクルを有するレチクルを搬入する際のレチクルとペリクルに囲まれた空間のパージ時間を大幅に短くでき、レチクル搬入時間が短縮され生産性が向上し、レチクルとペリクルに囲まれた空間における露光光の透過率および透過率の均一性を確保でき、高精度な焼付けを行うことができる。
【発明を実施するための最良の形態】
【００２６】
本発明の好ましい第１の実施の形態にかかる露光装置は、
紫外光を露光光として用い、原版のパターンを投影光学系を介して感光基板に照射する露光装置において、
該原版はペリクル膜とペリクル枠からなるペリクルを設け、
ペリクル枠には１つ以上の供給口と１つ以上の排出口を備え、
該露光装置には、１つ以上の開閉扉を有するロードロック室を設け、
該ロードロック室には、不活性ガスを供給する手段とガスを排出する手段を備え、
該ロードロック室の内部には、
該供給口に対向し不活性ガスを供給するための供給ノズルと、
該供給ノズルを該供給口に近接あるいは密接させるノズル近接機構と、
該排出口に対向しガスを排出するための排出ノズルと、
該排出ノズルを該排出口に近接あるいは密接させるノズル近接機構と、
該供給ノズルと該ロードロック室内の圧力差を検知する手段と、
該排出ノズルと該ロードロック室内の圧力差を検知する手段とを備え、
該露光装置には、
該ロードロック室に供給する不活性ガスの圧力あるいは排出するガスの圧力を制御する制御手段と、
該供給ノズルに供給する不活性ガスの圧力と該排出ノズルから排出するガスの圧力を制御する制御手段とを設けることを特徴とする。
【００２７】
本発明の好ましい第２の実施の形態にかかる露光装置は、
紫外光を露光光として用い、原版のパターンを投影光学系を介して感光基板に照射する露光装置において、
該原版はペリクル膜とペリクル枠からなるペリクルを設け、
ペリクル枠には１つ以上の供給口と１つ以上の排出口を備え、
該露光装置には、１つ以上の開閉扉を有するロードロック室を設け、
該ロードロック室には、不活性ガスを供給する手段とガスを排出する手段を備え、
該ロードロック室の内部には、
該供給口に対向し不活性ガスを供給するための供給ノズルと、
該供給ノズルを該供給口に近接あるいは密接させるノズル近接機構と、
該排出口に対向しガスを排出するための排出ノズルと、
該排出ノズルを該排出口に近接あるいは密接させるノズル近接機構と、
該供給ノズルと該ロードロック室内の圧力差を検知する手段と、
該排出ノズルと該ロードロック室内の圧力差を検知する手段と、
該ペリクル膜の変位量を検知する手段を備え、
該露光装置には、
該ロードロック室に供給する不活性ガスの圧力あるいは排出するガスの圧力を制御する制御手段と、
該供給ノズルに供給する不活性ガスの圧力あるいは該排出ノズルから排出するガスの圧力を制御する制御手段とを設けることを特徴とする。
【００２８】
本発明の好ましい第３の実施の形態にかかる露光装置は、
紫外光を露光光として用い、原版のパターンを投影光学系を介して感光基板に照射する露光装置において、
該原版はペリクル膜とペリクル枠からなるペリクルを設け、
ペリクル枠には１つ以上の供給口と１つ以上の排出口を備え、
該露光装置には、
該ペリクル枠に密接するペリクル加圧室を設け、
該ペリクル加圧室には、不活性ガスを供給する手段とガスを排出する手段と、
該ペリクル膜の変位量を検知する手段とを備え、
該露光装置には、
該供給口に対向し不活性ガスを供給するための供給ノズルと、
該供給ノズルを該供給口に近接あるいは密接させるノズル近接機構と、
該排出口に対向しガスを排出するための排出ノズルと、
該排出ノズルを該排出口に近接あるいは密接させるノズル近接機構と、
該供給ノズルと該ペリクル加圧室内の圧力差を検知する手段と、
該排出ノズルと該ペリクル加圧室内の圧力差を検知する手段とを設け、
該ペリクル加圧室に供給する不活性ガスの圧力あるいは排出するガスの圧力を制御する制御手段と、
該供給ノズルに供給する不活性ガスの圧力あるいは該排出ノズルから排出するガスの圧力を制御する制御手段を設けることを特徴とする。
【００２９】
本発明の好ましい第４の実施の形態にかかる露光装置は、
紫外光を露光光として用い、原版のパターンを投影光学系を介して感光基板に照射する露光装置において、
該原版はペリクル膜とペリクル枠からなるペリクルを設け、
ペリクル枠には１つ以上の供給口と１つ以上の排出口を備え、
該露光装置には、
該ペリクル枠に密接するペリクル加圧室を設け、
該ペリクル加圧室には、
１つ以上の供給口と１つ以上の排出口を備え、
該ペリクル枠の供給口の流路抵抗の総量と該ペリクル加圧室の供給口の流路抵抗の総量はほぼ同一であり、
該ペリクル枠の排出口の流路抵抗の総量と該ペリクル加圧室の排出口の流路抵抗の総量はほぼ同一であり、
該ペリクル加圧室の該供給口に近接あるいは密接し不活性ガスを供給するための供給ノズルと、
該ペリクル加圧室の該排出口に近接あるいは密接し不活性ガスを排出するための排出ノズルを備え、
該露光装置には、
該供給口に対向し不活性ガスを供給するための供給ノズルと、
該供給ノズルを該供給口に近接あるいは密接させるノズル近接機構と、
該排出口に対向しガスを排出するための排出ノズルと、
該排出ノズルを該排出口に近接あるいは密接させるノズル近接機構を設け、
該供給ノズルに供給する不活性ガスの圧力あるいは該排出ノズルから排出するガスの圧力を制御する制御手段を設けることを特徴とする。
【００３０】
上述の実施形態によれば、露光光として紫外光を用いた場合、紫外線、とりわけフッ素（Ｆ２）エキシマレーザ光を利用した露光装置において、レチクルを搬入する際のレチクルとペリクルに囲まれた空間のパージ時間を大幅に短くでき、レチクル搬入時間が短縮され生産性が向上し、レチクルとペリクルに囲まれた空間における露光光の透過率および透過率の均一性を確保でき、高精度な焼付けを行うことができる。
【実施例】
【００３１】
以下、図面を用いて本発明の実施例を説明する。
［第１の実施例］
図１および図２は、本発明の第１の実施例を示す図である。図１はペリクル空間を不活性ガスでパージするパージ機構を示す平面図であり、図１０におけるロードロック室１３を示している。また、図２は図１におけるＡＡ断面図を示している。ロードロック室１３の外気側には外部側ドア２８が、レチクルパージチャンバ２１（図１０の筐体８）側には内部側ドア２９が設けられている。レチクル２３を搬入する際には、内部側ドア２９を閉じ、外部側ドア２８を開けて、不図示のレチクル搬送手段によりロードロック室１３内に設けられた４個の支持台３０の上にレチクル２３を位置決めして置き、レチクル搬送手段を退避させた後、外部側ドア２８を閉じる。図２はこの状態を示している。なお、支持台上のレチクル２３をさらに精密に位置決めするための位置決め機構を別途設けることも可能であり、これにより後述するノズルとペリクル枠との位置合わせがより厳密にでき、不活性ガスのリークを最小限に抑えることができる。また、この支持台３０には必要に応じて吸着溝を設け、レチクルを位置決め終了後、真空吸着して固定できるようにしても良い。
【００３２】
レチクル２３には露光装置に搬入される前に予めペリクル２４が貼り付けられている。ペリクル２４は、ペリクル枠２５とペリクル膜２６で構成されていて、ペリクル膜２６はいわゆるソフトペリクルあるいはハードペリクルである。ペリクル枠２５には、不活性ガスを供給および排出するための複数の供給口ａと複数の排出口ｂが設けられ、すべての供給口ａと排出口ｂの外側には、除塵フィルタ３１、３２が設けられている。なお、除塵フィルタ３１、３２の流路抵抗を含んだ、すべての供給口ａでの流路抵抗の総量とすべての排出口ｂでの流路抵抗の総量は、ほぼ同一にしてある。
【００３３】
この供給口ａと一定間隔をあけて供給ノズル３３および供給ノズル近接機構３４が配置され、排出口ｂと一定間隔をあけて排出ノズル３５および排出ノズル近接機構３６が配置されている。供給ノズル近接機構３４および排出ノズル近接機構３６は少なくとも一方向に移動可能な案内と駆動部を有しており、図３に示すように、供給ノズル３３および排出ノズル３５の端面をペリクル枠端面に接近させ密接させて所定の位置に位置合わせを行う。
【００３４】
供給ノズル３３には、供給経路３９を介して不活性ガス供給装置４０が接続されており、供給経路３９の途中には不活性ガスの供給圧力を調節する圧力調節装置４１とバルブ４２が設けられ、制御部５３によって制御される。圧力センサ４７は供給ノズル内３７とロードロック室１３内の双方の圧力または双方間の圧力差を検知するように圧力伝播経路４８、４９と接続されていて、ロードロック室内圧力を基準とした供給ノズル内３７の相対圧力値が制御部５３に送られる。また、排出ノズル３５には、排出経路４３を介して不活性ガス吸引装置４４が接続されており、排出経路４３の途中には不活性ガスの排出圧力を調節する圧力調節装置４５とバルブ４６が設けられ、制御部５３によって制御される。圧力センサ５０は排出ノズル３５内と、ロードロック室１３内の双方の圧力または双方間の圧力差を検知するように圧力伝播経路５１、５２と接続されていて、ロードロック室内の圧力を基準とした排出ノズル内３８の相対圧力値が制御部５３に送られる。
【００３５】
図３に示すように、搬入されたレチクル２３のペリクル枠端面に供給ノズル３３と排出ノズル３５の端面を密接させた後、制御部５３は、バルブ４２、４６を開け、さらに圧力調節装置４１、４５によって供給ノズル内３７と排出ノズル内３８のロードロック室内１３に対する相対圧力値の絶対値を、許容値内に一致させるように制御しながら、供給ノズル内３７の相対圧力値を徐々に高くし、排出ノズル内３８の相対圧力値を徐々に低くしていく。このとき供給口ａと排出口ｂでの流路抵抗の総量はほぼ同一、すなわち供給口ａと供給口ｂでの圧力損失はほぼ同一であるので、ペリクル空間内２０の圧力は、供給ノズル内３７と排出ノズル内３８の圧力のほぼ中間値であり、ロードロック室内１３の圧力とほぼ一致するように制御されていることになる。したがって、ペリクル空間内２０とロードロック室１３内の圧力差はほとんどなく、ペリクル膜２６の変形をほとんど発生させずに、ペリクル空間内２０に不活性ガスが強制的に供給されて、ペリクル空間内２０にある空気と混合して強制的に排出されていくので、酸素および水分等の露光光吸収物質の濃度が徐々に下がっていく。なお、制御部５３は、圧力センサ４７、５０により検知された圧力値が所定の範囲となるように圧力調節装置４１、４５の調節量をオープンループあるいはＰＩＤなどのフィードバックによる制御理論を利用して制御している。もちろん圧力センサ４７、５０の配置はこれに限らず、ノズルや気密チャンバ内に直接設けることもでき、これにより圧力伝播経路４８、４９、５１、５２を省略でき、圧力の応答時間をより短くすることがきるため、圧力制御の点でより有利となる。
【００３６】
一方、ロードロック室１３には、供給経路５４を介して不活性ガス供給装置５５が接続されており、供給経路５４の途中には不活性ガスの供給圧力を調節する圧力調節装置５６とバルブ５７が設けられ、制御部５３に接続されている。供給経路５４から供給される不活性ガスは、多孔板６２を介してロードロック室内１３に均一に供給されるようになっている。また、ロードロック室１３には排出経路５８を介して不活性ガス吸引装置５９が接続されており、排出経路５８の途中には不活性ガスの排出圧力を調節する圧力調節装置６０とバルブ６１が設けられ、制御部５３に接続されている。排出経路５８から排出される不活性ガスは、多孔板６３を介してロードロック室内１３から均一に排出されるようになっている。また、ロードロック室１３内の圧力値を測定する圧力センサ６４が設けられ、その検知信号が制御部５３に送られる。なお、圧力センサ４７あるいは圧力センサ５０がロードロック室内１３の圧力値を検知するようにしてあれば、それらは圧力センサ６４の代わりにできる。搬入されたレチクル２３のペリクル枠端面に供給ノズル３３と排出ノズル３５の端面が密接されるまでは、供給経路５４からの不活性ガスの供給と排出経路５８からの排出は、バルブ５７、６１を閉じて停止した状態にしてあるので、この時点までは、ロードロック室１３内は、ほぼ大気圧になっている。そして上述したように、制御部５３は、バルブ４２、４６を開けて、供給ノズル３３の供給圧力と排出ノズル３５の排出圧力の制御を開始する。その後、ロードロック室１３内の圧力を規定値（例えば２気圧）まで上げていくように圧力調節装置５６によって供給経路５４の供給圧力を制御し、圧力調節装置６０によって排出経路５８からの排出圧力を制御する。これによって、ロードロック室１３内は規定の圧力に到達し、かつ不活性ガスが供給されて元々ある空気と混合して排出されていくので、酸素および水分等の露光光吸収物質の濃度が下がっていく。
【００３７】
このとき制御部５３は、圧力調節装置４１、４５によって供給ノズル内３７と排出ノズル内３８のロードロック室内１３に対する相対圧力値の絶対値を、許容値内に一致させるように制御しながら、供給ノズル内３７の相対圧力値を高くし、排出ノズル内３８の相対圧力値を低くしていくが、ロードロック室内１３の圧力が２気圧の場合、例えば、排出ノズル３５からの排出圧力を０．５気圧まで下げると差圧は１．５気圧なので、供給ノズル３３への供給圧力は３．５気圧まで上げることになる。もしロードロック室内１３の圧力が１気圧のままだと、差圧は０．５気圧であるから、それに比べ３倍の差圧となるので、ペリクル空間２０に供給され排出される不活性ガスの流量がその分大きく増えて、ペリクル空間２０のパージ時間が大幅に短縮されることになる。
【００３８】
この状態で、予め実験で求めたパージに必要な所定時間が経過した後、制御部５３は、圧力調節装置４１、４５によって供給ノズル内３７と排出ノズル内３８のロードロック室内１３に対する相対圧力値の絶対値を、許容値内に一致させるように制御しながら、供給ノズル内３３の相対圧力値を低くし、排出ノズル内３８の相対圧力値を高くし、両者の差圧が０になるように制御する。その後、あるいはそれと同時に、ロードロック室内１３の圧力がレチクルパージチャンバ空間２１内の圧力と同じになるように制御する。そして、バルブ４２、４６を閉じて供給ノズル３３からの供給と排出ノズル３５からの排出を停止し、バルブ５７、６１を閉じて供給経路５４からの不活性ガスの供給と排出経路５８からの排出を停止する。次に、供給ノズル３３および排出ノズル３５の端面をペリクル枠端面から離した後、内部側ドア２９を開ける。レチクルパージチャンバ空間２１内のレチクルハンド１５により、レチクル２３をロードロック室１３からレチクルパージチャンバ空間２１内へ搬入し、内部側ドア２９を閉じる。レチクル２３は、レチクルハンド１５によりレチクルステージ１あるいはレチクル保管庫１８や異物検査装置９０のいずれかに搬送される。
【００３９】
なお、本実施例においては、搬入されたレチクル２３のペリクル枠端面に供給ノズル３３と排出ノズル３５の端面を密接させる際、供給ノズル近接機構３４および排出ノズル近接機構３６によって、所定の位置に位置合わせを行ったが、供給ノズル３３および排出ノズル３５の端面とペリクル枠端面の隙間を測定するセンサを設けて、より精度よく密接させるように位置合わせするとなお良い。あるいは、隙間を測定する代わりに、供給ノズル３３および排出ノズル３５から不活性ガスを一定量供給および排出しながら、供給ノズル３３および排出ノズル３５の端面をペリクル枠端面に接近駆動させて、圧力センサ４７、５０によって供給ノズル内３７および排出ノズル内３８の圧力を測定して、圧力値あるいは圧力変化量で駆動終了を判断することにより、より精度よく密接させるように位置合わせすることもできる。供給ノズル３３および排出ノズル３５の端面は、ペリクル枠端面に密着させた方が漏れを少なくできるので、効率よくペリクル空間２０を不活性ガスで置換できる。但し、ペリクル枠２５はレチクル２３に粘着剤で貼り付けられているため、ペリクル枠２５に大きな力を与えて大きく変形させると完全には元に戻らなくなる可能性があるので、供給ノズル３３および排出ノズル３５の端面は、ペリクル枠端面に許容値以上の力をかけないように上述の位置合わせを行い密接させるのが望ましい。特に、ペリクル膜２６がハードペリクルの場合は、厚さが例えば０．８ｍｍ程度あるためにその変形が光学性能に敏感に影響するので、ペリクル膜２６の変形許容値は厳しいものになってなおさら位置合わせを行って密接させるのが望ましい。そのため、ペリクル膜２６あるいはペリクル枠２５あるいはレチクル２３の変形を光学的あるいは電気的に検知する変位計を１つあるいは複数設けて、その変位量が予め決められた許容値以下となるように、供給ノズル３３および排出ノズル３５の位置決めを制御するのが望ましい。あるいは、ある程度漏れは許容して、密接させずにわずかな隙間を設けて供給ノズル３３および排出ノズル３５の端面をペリクル枠端面に対面させてもよい。但し、供給ノズル３３側の隙間と排出ノズル３５側の隙間はほぼ同一にして、流路抵抗をほぼ同一にする。
【００４０】
また、前記実施例においては、除塵フィルタ３１、３２の流路抵抗を含んだ、すべての供給口ａでの流路抵抗の総量とすべての排出口ｂでの流路抵抗の総量は、ほぼ同一にしたし、供給ノズル３３および排出ノズル３５の端面をペリクル枠端面に密接させずにわずかな隙間をあけて対面させた場合も、両者の隙間はほぼ同一にして、流路抵抗をほぼ同一にした。しかし、これら供給側と排出側の流路抵抗が違う場合においても、その比に応じて供給ノズル内３７と排出ノズル内３８の圧力差をつけて圧力調整をすればよい。例えば、供給側の流路抵抗が高い場合は、供給ノズル内３７の相対圧力値の絶対値を排出ノズル内３８の相対圧力値の絶対値より大きくする。どの程度大きくすればペリクル膜２６を変形させないかは、予め実験により求めておけばよい。
【００４１】
［第２の実施例］
図４は、本発明の第２の実施例を示す図である。前記第１の実施例では供給ノズル３３内および排出ノズル３５内とロードロック室１３内の圧力差を測定して、それらが同一になるように不活性ガスの供給圧力および排出圧力を制御していたが、本実施例では、その代わりにペリクル膜２６あるいはペリクル枠２５あるいはレチクル２３の変形を光学的あるいは電気的に検知する変位計６５を１つあるいは複数設ける。但し、変形量はペリクル膜２６の中心部が一番大きいので、図４のように中心部の変形量ｚを測定するよう変位計６５を設けるのが望ましい。そして、制御部５３は変形量ｚの変位量が予め決められた許容値以下となるように、供給ノズル内３７あるいは排出ノズル内３８のロードロック室１３内に対する相対圧力値を制御しながら、供給ノズル内３７の相対圧力値を徐々に高くし、排出ノズル内３８の相対圧力値を徐々に低くしていく。そのとき、圧力調節装置５６、６０によりロードロック室１３を加圧すると、ペリクル膜２６を変形させないようにペリクル空間２０も加圧される。
【００４２】
あるいは、制御部５３は、圧力センサ４７あるいは圧力センサ５０は使わずに、圧力調節装置４１により供給ノズル内３７の圧力値を徐々に高くし、圧力調節装置４５により排出ノズル内３８の圧力値を徐々に低くしていくと同時に、変位量が予め決められた許容値以下となるように、ロードロック室１３内の圧力値を制御することも可能である。その際、供給ノズル内３７の圧力値を高くする度合いは、排出ノズル内３８の圧力値を低くする度合いより大きくすることにより、ロードロック室１３とペリクル空間２０の圧力値が大気圧より高くなるようにする。
【００４３】
いずれにしても、ペリクル空間２０に対する供給ノズル内３７と排出ノズル内３８の差圧が大きくできるので、ペリクル空間２０に供給され排出される不活性ガスの流量が大きく増えて、ペリクル空間２０のパージ時間が短縮されることになる。そしてこのように、直接ペリクル膜２６の変位を測定し制御すると、給気口ａと排気口ｂでの流路抵抗の総量に個体差も含めて差があってもよいし、供給ノズル３３および排出ノズル３５の端面とペリクル枠端面が密接せずに漏れが生じてしまって流路抵抗に差が生じても問題とならず、供給ノズル３３および排出ノズル３５の端面とペリクル枠端面とにわずかな隙間を設ける際の隙間にばらつきがあってもよいという特有の効果を有する。
【００４４】
なお、上述の実施例においては、ロードロック室１３内でペリクル空間２０をパージする例を示したが、これら供給ノズル３３および排出ノズル３５をはじめとするペリクル空間２０をパージする機構を配置する場所は、ロードロック室１３内に限定されるものではない。レチクル保管庫、ペリクル検査機内に設けることができるし、レチクルパージチャンバ空間２１内のレチクル搬送経路中にペリクルパージをするための専用の部屋として設けることもできる。また配置する場所をいずれか一ヶ所に限定するものではなく、複数ヶ所に置いて、レチクルの使用計画に合わせた最適な場所での不活性ガスパージを自動的に選択・実施させることも可能である。
【００４５】
また、第１および第２の記実施例で、供給ノズル３３および排出ノズル３５の端面をペリクル枠端面に密接させずにわずかな隙間をあけて対面させた場合には、ロードロック室１３に接続した不活性ガス供給装置５５と不活性ガス吸引装置５９をなくして装置構成を単純にすることも可能である。すなわち、不活性ガスが供給ノズル３３からロードロック室１３内に漏れる一方、ロードロック室１３内の気体が排出ノズル３５内に漏れて排出されるので、ロードロック室１３内のパージも行われる。なお、それだけではロードロック室１３内のパージが不十分な場合は、供給ノズル３３および排出ノズル３５の端面をペリクル枠端面に対面させる前にあるいは後に、供給ノズル３３および排出ノズル３５によって不活性ガスの供給と排出を行い、ロードロック室１３内のパージを十分に行うことも可能である。
【００４６】
［第３の実施例］
図５は、本発明の第３の実施例を示す図である。前記した実施例では、ロードロック室１３内全体を加圧することによりペリクル空間２０のパージ効率を高めたが、本実施例では、その代わりにペリクル加圧室６６を設けてペリクル膜２６だけを加圧するようにした。すなわち、第１および第２の実施例の支持台３０の代わりに、ペリクル加圧室６６が設けられ、搬入されたレチクル２３は位置決めされて、ペリクル枠２５の下面がペリクル加圧室６６の上に当接して置かれる。このとき、ペリクル加圧室６６の当接面は、ペリクル枠２５と同一形状になっており、ペリクル膜２６で塞がれることにより密閉空間になる。なお、このペリクル加圧室６６の当接面は、シール性を上げるためにゴムや樹脂などの弾性体としてもよいし、真空吸着溝を設けて真空吸着してもよい。ペリクル加圧室６６には、供給経路６７を介して不活性ガス供給装置６８が接続されており、供給経路６７の途中には不活性ガスの供給圧力を調節する圧力調節装置６９とバルブ７０が設けられ、制御部５３に接続されている。また、排出経路７１を介して不活性ガス吸引装置７２が接続されており、排出経路７１の途中には不活性ガスの排出圧力を調節する圧力調節装置７３とバルブ７４が設けられ、制御部５３に接続されている。そして、第２の実施例と同様に、ペリクル膜２６の変形を光学的あるいは電気的に検知する変位計６５を１つあるいは複数設けて、制御部５３はその変位量が予め決められた許容値以下となるように、供給ノズル内３７あるいは排出ノズル内３８のペリクル加圧室６６内に対する相対圧力値を制御しながら、供給ノズル内３７の相対圧力値を徐々に高くし、排出ノズル内３８の相対圧力値を徐々に低くしていく。そのとき、圧力調節装置６９、７３によりペリクル加圧室６６を加圧すると、ペリクル膜２６を変形させないようにペリクル空間２０も加圧される。
【００４７】
あるいは、制御部５３は、圧力センサ４７あるいは圧力センサ５０は使わずに、圧力調節装置４１により供給ノズル内３７の圧力値を徐々に高くし、圧力調節装置４５により排出ノズル内３８の圧力値を徐々に低くしていくと同時に、変位量が予め決められた許容値以下となるように、ペリクル加圧室６６内の圧力値を制御することも可能である。その際、供給ノズル内３７の圧力値を高くする度合いは、排出ノズル内３８の圧力値を低くする度合いより大きくすることにより、ペリクル加圧室６６とペリクル空間２０の圧力値が大気圧より高くなるようにする。
いずれにしても、ペリクル空間２０に対する供給ノズル内３７と排出ノズル内３８の差圧が大きくできるので、ペリクル空間２０に供給され排出される不活性ガスの流量が大きく増えて、ペリクル空間２０のパージ時間が短縮されることになる。
【００４８】
なお、本実施例においても、これらペリクル空間２０をパージする機構を配置する場所は、ロードロック室１３内でもよいし、ロードロック室１３に限定されるものでもない。特に、多くのレチクルを収納するレチクル保管庫やレチクル搬送経路中に配置する場合には、レチクル２３の周りを囲って密閉する部屋が不要になるので、スペースが小さくなり好適である。但しその場合、レチクル２３の周りを加圧することはできないので、レチクル２３の上面側は加圧されず下面側のみ加圧されて差圧が生じるため、レチクル２３はペリクル枠２５から引き剥がされる力を受ける。ペリクル枠２５はレチクル２３に粘着剤で貼り付けられているため、レチクル２３に大きな力を与えて大きく変形させると完全には元に戻らなくなる可能性があるので、加圧はできるものの限度がある。そこで、ペリクル空間２０の加圧中は、不図示のレチクル押さえ機構でレチクル上面を押さえてレチクル２３が変形するのを防ぐことにより、加圧力を増やすことが可能になり、よりペリクル空間２０のパージ時間が短縮される効果がある。なお、レチクル押さえ機構は、レチクル２３を搬送するレチクルハンドが兼ねる構造にしてもよい。
【００４９】
なお、この実施例では、変位計６５を使ってペリクル膜２６の変形を抑えるように制御したが、変位計６５を使わないことも可能である。すなわち、図５において供給ノズル３３内および排出ノズル３５内とペリクル加圧室６６内の圧力差を測定して、それらが同一になるように不活性ガスの供給圧力および排出圧力を制御しながら、供給ノズル内３７の相対圧力値を徐々に高くし、排出ノズル内３８の相対圧力値を徐々に低くしていく。このとき供給口ａと供給口ｂでの圧力損失はほぼ同一にしてあるから、ペリクル膜２６はほとんど変形しない。そして、圧力調節装置６９、７３によりペリクル加圧室６６を加圧するとペリクル空間２０も加圧されて、ペリクル空間２０に対する供給ノズル内３７と排出ノズル内３８の差圧が大きくできるので、ペリクル空間２０に供給され排出される不活性ガスの流量が大きく増えて、ペリクル空間２０のパージ時間が短縮されることになる。
【００５０】
なお、本実施例においても第１の実施例と同様に、ある程度漏れは許容して、供給ノズル３３および排出ノズル３５の端面をペリクル枠端面に密接させずにわずかな隙間を設けて対面させてもよい。その際、変位計６５を使わない場合は、供給ノズル３３側の隙間と排出ノズル３５側の隙間はほぼ同一にして、流路抵抗をほぼ同一にする。
【００５１】
［第４の実施例］
図６は、本発明の第４の実施例を示す図である。ペリクル加圧室６６には供給口ｃと排出口ｄ、および除塵フィルタ７７、７８が設けられ、それらに対向し密接して供給ノズル７９と排出ノズル８０が設けられている。その際、除塵フィルタ７７の流路抵抗を含んだ供給口ｃでの流路抵抗の総量は、ペリクル枠２５の供給口ａのものとほぼ同一にしてあり、除塵フィルタ７８の流路抵抗を含んだ排出口ｄでの流路抵抗の総量は、ペリクル枠２５の排出口ｂのものとほぼ同一にしてある。また、供給ノズル３３と供給ノズル７９は、共に供給経路３９に接続され、排出ノズル３５と排出ノズル８０は、共に排出経路４３に接続されている。
【００５２】
そして図６のように、搬入されたレチクル２３のペリクル枠２５端面に供給ノズル３３と排出ノズル３５の端面を密接させ、圧力調節装置４１により供給ノズル内３７、８１の圧力値を徐々に高くし、圧力調節装置４５により排出ノズル内３８、８２の圧力値を徐々に低くしていく。このとき、供給口ｃと排出口ｄでの流路抵抗の総量は、それぞれペリクル枠２５の供給口ａと排出口ｂのものとほぼ同一にしてあるので、ペリクル空間２０とペリクル加圧室６６の圧力はほぼ同一となり、ペリクル膜２６はほとんど変形しない。そして、供給ノズル内３７、８１の圧力値を高くする度合いは、排出ノズル内３８、８２の圧力値を低くする度合いより大きくすることにより、ペリクル加圧室６６とペリクル空間２０の圧力値が大気圧より高くなるようにする。それにより、ペリクル空間２０に対する供給ノズル内３７と排出ノズル内３８の差圧が大きくできるので、ペリクル空間２０に供給され排出される不活性ガスの流量が大きく増えて、ペリクル空間２０のパージ時間が短縮されることになる。そして、圧力センサや変位計が不要であり、不活性ガスの供給系や排気系が１系統で済み、さらに制御が簡単になるという特有の効果を有する。
【００５３】
なお、本実施例においても第１の実施例と同様に、ある程度漏れは許容して、供給ノズル３３および排出ノズル３５の端面をペリクル枠端面に密接させずにわずかな隙間を設けて対面させてもよい。その場合は、供給ノズル７９の端面を供給口ｃに密接させずにわずかな隙間を設けて対面させ、排出ノズル８０の端面を排出口ｄに密接させずにわずかな隙間を設けて対面させる。その際、供給ノズル３３の隙間と供給ノズル７９の隙間はほぼ同一にし、排出ノズル３５の隙間と排出ノズル８０の隙間はほぼ同一にして、流路抵抗をほぼ同一にしておく。
【００５４】
また、本実施例においても第３の実施例と同様に、レチクル２３に大きな力を与えて大きく変形させると完全には元に戻らなくなる可能性があるので、加圧はできるものの限度がある。そこで、ペリクル空間２０の加圧中は、不図示のレチクル押さえ機構でレチクル上面を押さえてレチクル２３が変形するのを防ぐことにより、加圧力を増やすことが可能になり、よりペリクル空間２０のパージ時間が短縮される効果がある。また、レチクル押さえ機構は、レチクル２３を搬送するレチクルハンドが兼ねる構造にしてもよい。
【００５５】
以上の第１〜４の実施例においては、所定時間が経過するまでペリクル空間２０のパージを続けたが、不活性ガス排出経路４３の途中に、不活性ガス中の不純物濃度を検知する不純物濃度センサ７５を設けて、排出ノズル３５によってペリクル空間２０から排出される気体の不純物濃度を検知し、この不純物濃度が予め設定された許容値以下となればパージを終了する。こうすれば、ペリクル空間２０を所定の不活性ガス濃度で確実に置換することが可能となり、さらに安全を見込んで必要以上に置換時間を増やす必要がないという利点がある。この不純物濃度センサ７５には、例えば酸素濃度センサや水分濃度センサのいずれか一方または両方を含む。また不活性ガス中のＨ２Ｏ、Ｏ２、ＣＯ２、有機物等の不純物をイオン化して不純物の高感度検知を行う大気圧イオン化センサを用いれば、不純物の総量を検知することが可能となるため、より厳密に不活性ガス濃度を検知できる利点がある。
【００５６】
また、以上の実施例においては、ペリクル空間２０およびロードロック室１３内あるいはペリクル加圧室６６へ供給する不活性ガスは、不純物濃度が例えば１ｐｐｍ以下の高純度のものを使用することによりパージ時間を短くすることができるが、高純度のものではなくレチクルパージチャンバ２１（筐体８）空間の不活性ガス中の不純物濃度とほぼ同じ濃度に制御した不活性ガスを使用することもできる。例えば、レチクルパージチャンバ２１空間の酸素濃度が５０ｐｐｍであった場合、ペリクル空間２０およびロードロック室内１３あるいはペリクル加圧室６６へ供給する不活性ガスの酸素濃度もほぼ５０ｐｐｍに制御する。それは、不活性ガス供給装置４０、５５、６８の出口に、微量の酸素を混合させるための酸素供給装置を接続して混合させ、その後に酸素濃度計を接続して、常に５０ｐｐｍとなるように酸素供給装置からの酸素供給量を制御することにより可能である。このようにパージをしていくと、ペリクル空間２０およびロードロック室内１３あるいはペリクル加圧室６６とレチクルパージチャンバ空間２１の不純物濃度は同じになっていくので、パージ終了後に内部側ドア２９を開けてロードロック室内１３とレチクルパージチャンバ空間２１を連通させた際に、あるいはペリクル加圧室６６からレチクル２３を搬出した際に、レチクルパージチャンバ空間２１の不純物濃度が変動することを防止できるし、ペリクル空間２０の不純物濃度が変動することを防止できて、露光光の吸収率すなわち露光量が変動することを防止できるという特有の効果がある。
【００５７】
また、以上の実施例においては、ペリクル枠２５の除塵フィルタは、供給口ａと排出口ｂの外側に設けたが、図７のように、供給口ａと排出口ｂの内側に除塵フィルタを設けると、供給ノズル３３および排出ノズル３５を密接できる面積を増やすことが可能であり、そうすると不活性ガスの漏れが少なくなり望ましい。また、図８のように、供給口ａの外側と排出口ｂの内側に除塵フィルタを設けると、不活性ガスの圧力によって除塵フィルタが剥がれてしまうことを防止できるので望ましい。また、図９のように、除塵フィルタを供給口ａと排出口ｂのそれぞれの内側と外側の２ヶ所に設け、除塵能力を向上させてもよいし、あるいは供給口ａと排出口ｂの内部に充填してもよい。なお、前記実施例のように、供給口ａと排出口ｂの外側に除塵フィルタを設けた場合に、供給ノズル３３および排出ノズル３５をペリクル枠端面に密接できるようにしてあれば、除塵フィルタが供給口ａと排出口ｂの内側に設けられたペリクルであっても、そのまま使用できる。
【００５８】
また、以上の実施例においては、ペリクル枠２５の供給口ａと排出口ｂは、ペリクル枠２５の長辺側の２辺に設けたが、短辺側の２辺に設けてもよく、それに合わせて供給ノズルと排気ノズルを配置すればよい。あるいは、ペリクル枠２５の４辺すべてに設けてもよく、例えば図１のペリクル枠２５の上側に供給口ａを、下側に排出口ｂを追加して設けて、それに合わせて供給ノズルと排気ノズルを追加して配置してもよい。そうすると、不活性ガスの供給量と排気量を倍増でき、ペリクル空間２０のパージ時間がさらに短縮される特有の効果がある。
【００５９】
以上説明したように、本実施例の露光装置によれば、紫外線、とりわけフッ素（Ｆ２）エキシマレーザ光を利用した露光装置において、レチクルを搬入する際のペリクル空間のパージ時間を大幅に短くでき、レチクルを搬入する時間が短縮され生産性が向上したのと同時に、フッ素（Ｆ２）エキシマレーザ光の高い透過率および画面内の透過率の時間的・空間的な均一性を得ることができた。これにより、ウエハ上へ到達する露光光の高い照度を得ることができ、画面内の照度ムラを小さく抑えることができて、投影露光を早く高精度に行うことが可能になり、微細な回路パターンが良好に投影できるようになった。
【００６０】
なお、本発明の露光装置に制限はなく、原版のパターンを投影光学系を介して感光基板に転写する露光装置であり、原版がペリクルを有するものであれば公知のものに適用可能である。
但し、本発明は、露光光として紫外光を用いる露光装置に適用して特に好適である。また、紫外光のなかでも、遠紫外線、とりわけ真空紫外領域である１５７［ｎｍ］付近の波長を有するフッ素（Ｆ２）エキシマレーザ光に対して本発明は有効である。
【００６１】
［第５の実施例］
次に、この露光装置を利用した半導体デバイスの製造プロセスを説明する。
図１３は微小デバイス（ＩＣやＬＳＩ等の半導体チップ、液晶パネル、ＣＣＤ、薄膜磁気ヘッド、マイクロマシン等）の製造のフローを示す。
ステップ１（回路設計）では半導体デバイスの回路設計を行う。ステップ２（マスク製作）では設計したパターンを形成したマスクを製作する。
一方、ステップ３（ウエハ製造）ではシリコン等の材料を用いてウエハを製造する。ステップ４（ウエハプロセス）は前工程と呼ばれ、上記用意したマスクを設置した露光装置とウエハを用いて、リソグラフィ技術によってウエハ上に実際の回路を形成する。
次のステップ５（組み立て）は後工程と呼ばれ、ステップ４によって作製されたウエハを用いて半導体チップ化する工程であり、アッセンブリ工程（ダイシング、ボンディング）、パッケージング工程（チップ封入）等の組み立て工程を含む。ステップ６（検査）ではステップ５で作製された半導体デバイスの動作確認テスト、耐久性テスト等の検査を行う。こうした工程を経て半導体デバイスが完成し、ステップ７でこれを出荷する。
【００６２】
上記ステップ４のウエハプロセスは以下のステップを有する。ウエハの表面を酸化させる酸化ステップ、ウエハ表面に絶縁膜を成膜するＣＶＤステップ、ウエハ上に電極を蒸着によって形成する電極形成ステップ、ウエハにイオンを打ち込むイオン打ち込みステップ、ウエハに感光剤を塗布するレジスト処理ステップ、上記の露光装置によって回路パターンをレジスト処理ステップ後のウエハに焼付露光する露光ステップ、露光ステップで露光したウエハを現像する現像ステップ、現像ステップで現像したレジスト像以外の部分を削り取るエッチングステップ、エッチングが済んで不要となったレジストを取り除くレジスト剥離ステップ。これらのステップを繰り返し行うことによって、ウエハ上に多重に回路パターンを形成する。
【図面の簡単な説明】
【００６３】
【図１】本発明の第１の実施例に係る投影露光装置のレチクルロードロック室の概略構成図である。
【図２】図１のレチクルロードロック室の断面およびガス供給および排出系の構成を示す図である。
【図３】ペリクル空間パージ動作状態を示す図１のレチクルロードロック室の断面図である。
【図４】本発明の第２の実施例に係る投影露光装置のレチクルロードロック室の断面図である。
【図５】本発明の第３の実施例に係る投影露光装置のペリクル空間パージ機構の断面図である。
【図６】本発明の第４の実施例に係る投影露光装置のペリクル空間パージ機構の断面図である。
【図７】レチクルに貼られたペリクルの概略構成図である。
【図８】レチクルに貼られたペリクルの概略構成図である。
【図９】レチクルに貼られたペリクルの概略構成図である。
【図１０】従来例であり本発明の適用対象の一例でもあるステップ・アンド・スキャン型の投影露光装置の要部を示す概略構成図である。
【図１１】レチクルに貼られたペリクルの従来例を示す概略構成図である。
【図１２】本発明が好ましく適用される投影露光装置の、特にレチクル搬送経路を示す概略構成図である。
【図１３】デバイスの製造プロセスのフローを説明する図である。
【符号の説明】
【００６４】
１：レチクルステージ、２：鏡筒、３：ウエハステージ、４：照明光学系、５：引き回し光学系、６：Ｆ２レーザ部、７：マスキングブレード、８，９：筐体、１０，１１，１２：空調機、１３：レチクルロードロック、１４：ウエハロードロック、１５：レチクルハンド、１６：ウエハハンド、１７：レチクルアライメントマーク、１８：レチクル保管庫、１９：プリアライメント部、２０：ペリクル空間、２１：レチクルパージチャンバ、２３：レチクル、２４：ペリクル、２５：ペリクル枠、２６：ペリクル膜、２７：通気孔、２８：外部側ドア、２９：内部側ドア、３０：支持台、３１，３２：除塵フィルタ、３３，７９：供給ノズル、３４，３６：ノズル近接機構、３５，８０：排気ノズル、３７，８１：供給ノズル内、３８，８２：排気ノズル内、３９，５４：供給経路、４０，５５，６８：不活性ガス供給装置、４１、４５、５６、６０、６９，７３：圧力調節装置、４２、４６、５７、６１、７０、７４：バルブ、４３，５８，６７，７１：排出経路、４４，５９，７２：不活性ガス吸引装置、４７、５０、７２：圧力センサ、４８、４９、５１、５２、６４：圧力伝播経路、５３：制御部、６２，６３：多孔板、６５：変位計、６６：ペリクル加圧室、７５：不純物濃度センサ、７７，７８：防塵フィルタ、９０：異物検査装置、ａ、ｃ：供給口、ｂ、ｄ：排出口
【図１】
2006060037.tif 000003
【図２】
2006060037.tif 000004
【図３】
2006060037.tif 000005
【図４】
2006060037.tif 000006
【図５】
2006060037.tif 000007
【図６】
2006060037.tif 000008
【図７】
2006060037.tif 000009
【図８】
2006060037.tif 000010
【図９】
2006060037.tif 000011
【図１０】
2006060037.tif 000012
【図１１】
2006060037.tif 000013
【図１２】
2006060037.tif 000014
【図１３】
2006060037.tif 000015